(57)【要約】【課題】刈取り部に前照灯をメンテナンスが容易な状態で設けるものでありながら、引起し穀稈や未刈り穀稈の前照灯への引っ掛かりを回避しやすいとともに刈取り作業が容易となる照明を行なわせること、及び前照灯の強固な支持を可能にする。【解決手段】刈取り部の横カバー４０に、走行機体の前方向き及び横外側向きに開口する照明灯収容凹部４１を分草具の後方上方に配置して設けてある。横カバー４０の側板部４０ａの裏側に配置したフレーム側支持体部４２ｂ、側板部４０ａをフレーム側支持体部４２ｂとで挟む状態でフレーム側支持体部４２ｂに締め付け連結するとともに照明灯収容凹部４１に配置した照明灯側支持体部４２ａを照明灯支持体４２に備えてある。前照灯５０を照明灯収容凹部４１に入り込ませて照明灯側支持体部４２ａに支持させてある。【選択図】図７
2011239727.tif 000002
【特許請求の範囲】
【請求項１】
分草具及び前記分草具からの植立穀稈に作用する引起し装置を備える刈取り部が走行機体の前部に連結され、前記刈取り部の横側部に前記引起し装置の引起しケースの横隣に位置する状態で設けた横カバーを備えたコンバインであって、
前記横カバーに、走行機体前方向き及び走行機体横外側向きに開口する照明灯収容凹部を前記分草具の後方でかつ上方に配置して設け、
前記横カバーのうちの前記照明灯収容凹部の内壁を形成する側板部の裏側に配置して刈取り部フレーム側に支持させたフレーム側支持体部と、前記側板部を前記フレーム側支持体部とで挟む状態で前記フレーム側支持体部に締め付け連結するとともに前記照明灯収容凹部に配置した照明灯側支持体部とを備えて、照明灯支持体を構成し、
前照灯を前記照明灯収容凹部に入り込むように配置した状態で前記照明灯側支持体部に支持させてあるコンバイン。
【請求項２】
前記照明灯収容凹部を走行機体上下方向に長い形状に形成するとともに、前記照明灯収容凹部の下端側で、前記前照灯の下方に位置する部位に空隙が形成されるように、前記前照灯を前記照明灯収容凹部の上端側に寄せて配置してある請求項１記載のコンバイン。
【請求項３】
前記横カバーを、前記照明灯収容凹部を設けた上側横カバー部と、前記上側横カバー部の下方に位置するとともに前記上側横カバー部とは別体の下側横カバー部とを備えて構成し、
前記下側横カバー部を、前記下側横カバー部に設けた取付け用フックにより、前記刈取り部に設けられた支持部材に脱着自在に取付けられるように構成してある請求項１又は２記載のコンバイン。
【発明の詳細な説明】
【技術分野】
【０００１】
本発明は、分草具及び前記分草具からの植立穀稈に作用する引起し装置を備える刈取り部が走行機体の前部に連結され、前記刈取り部の横側部に前記引起し装置の引起しケースの横隣に位置する状態で設けた横カバーを備えたコンバインに関する。
【背景技術】
【０００２】
上記したコンバインとして、従来、例えば特許文献１及び２に記載されたものがあった。特許文献１に記載されたコンバインでは、横カバーとしての左サイドカバー及び右サイドカバーを備えている。特許文献２に記載されたコンバインでは、横カバーに設けた前照灯装置を備えている。前照灯装置は、横カバーの前照灯装置組み付け凹部に組み込んだ前照灯、及び前照灯を覆うレンズを備えている。
【先行技術文献】
【特許文献】
【０００３】
【特許文献１】特開平１１−９０６５号公報
【特許文献２】特開２００８−２４５６６３号公報
【発明の概要】
【発明が解決しようとする課題】
【０００４】
特許文献１のコンバインにおいて、前照灯を刈取り部に設けるのに、前照灯のバルブ交換などのメンテナンスが容易となるように、引起し装置における引起しケースや横カバーから前方側や横外側に露出させて設けた場合、前照灯を簡単な構造で取付けることができる反面、引起し装置によって引起し処理される穀稈や刈取り部の横側に位置する未刈り穀稈の穂先側が前照灯に引っ掛かりやすくなる。逆に、特許文献２に記載された技術を採用することによって前照灯を設けた場合、前照灯に穀稈が引っ掛かりにくい反面、構造が複雑になる。
【０００５】
本発明の目的は、前照灯のメンテナンスが容易であるのみならず、引起し穀稈や未刈り穀稈の引っ掛かりを回避しやすいとともに刈取り作業が容易となる照明を行なわせることができ、さらに前照灯の支持を強固に行なわせ得る状態で前照灯を刈取り部に設けることができるコンバインを提供することにある。
【課題を解決するための手段】
【０００６】
本第１発明は、分草具及び前記分草具からの植立穀稈に作用する引起し装置を備える刈取り部が走行機体の前部に連結され、前記刈取り部の横側部に前記引起し装置の引起しケースの横隣に位置する状態で設けた横カバーを備えたコンバインにおいて、
前記横カバーに、走行機体前方向き及び走行機体横外側向きに開口する照明灯収容凹部を前記分草具の後方でかつ上方に配置して設け、
前記横カバーのうちの前記照明灯収容凹部の内壁を形成する側板部の裏側に配置して刈取り部フレーム側に支持させたフレーム側支持体部と、前記側板部を前記フレーム側支持体部とで挟む状態で前記フレーム側支持体部に締め付け連結するとともに前記照明灯収容凹部に配置した照明灯側支持体部とを備えて、照明灯支持体を構成し、
前照灯を前記照明灯収容凹部に入り込むように配置した状態で前記照明灯側支持体部に支持させてある。
【０００７】
本第１発明の構成によると、横カバーに走行機体前方向き及び走行機体横外側向きに開口する照明灯収容凹部を分草具の後方でかつ上方に配置して設け、前照灯を照明灯収容凹部に入り込むように配置した状態で照明灯側支持体部に支持させてあるから、前照灯を構造簡単に設けることができ、かつ前照灯を照明灯側支持体部に支持させたままにしても、引起し装置及び横カバーの前方や横側方から前照灯を容易に取り扱うことができる。それでありながら、前照灯が引起しケース及び横カバーから前方側や横外側へ突出することを回避あるいは抑制して、引起し装置によって引起こし処理される穀稈や刈取り部の横側に位置する未刈り穀稈の穂先側を前照灯に引っ掛かりにくくでき、かつ前照灯による前方の照明を分草具の後方上方から行なわせて、分草具の影を大きくしないで前方を照明させることができる。
【０００８】
本第１発明の構成によると、横カバーのうちの照明灯収容凹部の内壁を形成する側板部の裏側に配置して刈取り部フレーム側に支持させたフレーム側支持体部と、横カバーの側板部をフレーム側支持体部とで挟む状態でフレーム側支持体部に締め付け連結するとともに照明灯収容凹部に配置した照明灯側支持体部とを備えて照明灯支持体を構成し、照明灯側支持体部に前照灯を支持させてあるから、横カバーに照明灯取付け孔を設けるとともにこの照明灯取付け孔に刈取り部フレームから延出する照明灯支持体を設け、前照灯を横カバーの照明灯取付け孔に配置して照明灯支持体に支持させる場合と同様に優れた支持強度で前照灯を支持させることができる。また、横カバーの側板部がフレーム側支持体部と照明灯側支持体部によって挟持され、照明灯支持体を横カバーの支持部材に利用した構造簡単な支持構造によって構カバーを強固に支持させることができる。
【０００９】
従って、前照灯を照明灯収容凹部から取り出さなくとも容易に取り扱ってバルブ交換などのメンテナンスを容易に行なうことができるものでありながら、引起こし穀稈や未刈り穀稈の穂先を前照灯に引っ掛かりにくくしながら有利に、かつ分草具の大きな影ができないとともに前照灯を揺れ動きにくいように強固に支持させて見やすい状態で照明して容易に収穫作業を行なうことができる。また、横カバーを構造簡単に強固に支持させることができる。
【００１０】
本第２発明では、前記照明灯収容凹部を走行機体上下方向に長い形状に形成するとともに、前記照明灯収容凹部の下端側で、前記前照灯の下方に位置する部位に空隙が形成されるように、前記前照灯を前記照明灯収容凹部の上端側に寄せて配置してある。
【００１１】
本第２発明の構成によると、たとえば前照灯を比較的下向きに照射するよう調整した場合など、前照灯による照射光が照明灯収容凹部の前照灯下方に位置する部位の空隙を通って刈取り部の前端付近に届くようにできる。
【００１２】
従って、前照灯を照明灯収容凹部に配置するものでありながら、刈取り部の前端付近を良好に照明して作業を楽に行なうことができる。
【００１３】
本第３発明は、前記横カバーを、前記照明灯収容凹部を設けた上側横カバー部と、前記上側横カバー部の下方に位置するとともに前記上側横カバー部とは別体の下側横カバー部とを備えて構成し、
前記下側横カバー部を、前記下側横カバー部に設けた取付け用フックにより、前記刈取り部に設けられた支持部材に脱着自在に取付けられるように構成してある。
【００１４】
本第３発明の構成によると、下側横カバー部の取付け用フックによる取付けを解除すれば、横カバーのうちの上側横カバー部を取り付けたままにしながら、下側横カバー部を取り外すことができる。
【００１５】
従って、刈取り部の点検や修理作業を行なう場合など、強固に支持される前照灯の取り外しを行なわなくとも、下側横カバー部を取り外すだけで容易に刈取り部の横側方から作業を行うことができる。
【図面の簡単な説明】
【００１６】
【図１】コンバインの全体を示す側面図である。
【図２】刈取り部を示す正面図である。
【図３】刈取り部を示す斜視図である。
【図４】刈取り部の前部を示す左側面図である。
【図５】刈取り部の前部を示す右側面図である。
【図６】右側の前照灯が配設された部位を示す正面図である。
【図７】左側の前照灯が配設された部位を示す正面図である。
【図８】右側の上側横カバー部を示し、（ａ）は、上側横カバー部の正面図、（ｂ）は、上側横カバー部の裏面側を示す側面図、（ｃ）は、上側横カバー部の後面図、（ｄ）は、上側横カバー部の表面側を示す側面図である。
【図９】左側の上側横カバー部を示し、（ａ）は、上側横カバー部の正面図、（ｂ）は、上側横カバー部の表面側を示す側面図、（ｃ）は、上側横カバー部の後面図、（ｄ）は、上側横カバー部の裏面側を示す側面図である。
【図１０】下側カバー部の取り付け構造を示す縦断正面図である。
【図１１】防塵カバーの縦断正面図である。
【発明を実施するための形態】
【００１７】
以下、本発明の実施の形態を図面に基づいて説明する。
図１は、本発明の実施例に係るコンバインの全体を示す側面図である。この図に示すように、本発明の実施例に係るコンバインは、左右一対のクローラ走行装置１，１によって自走するように構成され、かつ機体前端部の横一端部に設けられた運転部２を有した走行機体と、この走行機体の機体フレーム４の前端部に連結された刈取り部１０と、機体フレーム４の後部に設けられた脱穀装置５と、機体フレーム４の後部に脱穀装置５と走行機体横方向に並べて設けられた袋詰め部６とを備えて構成してある。運転部２には、運転座席２ａを設けてある。
【００１８】
このコンバインは、稲、麦などの収穫作業を行なうものである。
つまり、刈取り部１０の刈取り部フレーム１１が機体フレーム４の前端部に上下揺動自在に連結されているとともに、刈取り部フレーム１１のメインフレーム２１と機体フレーム４にわたって油圧シリンダ７が連結されている。刈取り部１０は、刈取り部フレーム１１が油圧シリンダ７によって上下に揺動操作されることにより、刈取り部１０の前端部に走行機体横方向に並べて設けてある複数個の分草具１２が地面近くに下降した下降作業状態と、各分草具１２が地面から高く上昇した上昇非作業状態とに昇降する。刈取り部１０は、下降作業状態に下降操作され、この状態で走行機体が走行することにより、刈取対象の植立穀稈を引起し処理しながら刈り取り処理し、刈取り穀稈を脱穀装置５に供給する。
【００１９】
脱穀装置５は、刈取り部１０から供給された刈取り穀稈の株元側を脱穀フィードチェーン５ａによって挟持して搬送し、これによって刈取り穀稈の穂先側を扱室（図示せず）に供給して脱穀処理し、脱穀粒を脱穀機体外に搬出する。
【００２０】
袋詰め部６は、脱穀装置５からの脱穀粒を揚穀装置８によって袋詰めタンク６ａに供給されて貯留し、袋詰めタンク６ａに貯留した脱穀粒を、袋詰めタンク６ａの下部に設けてある吐出筒（図示せず）から籾袋に吐出する。
【００２１】
刈取り部１０についてさらに説明する。
図２は、刈取り部１０を示す正面図である。図３は、刈取り部１０を示す斜視図である。これらの図及び図１に示すように、刈取り部１０は、刈取対象の植立穀稈を各分草具１２によって分草具間に連なる引起し経路１３に導入して引起し経路１３の横側に設けてある引起し装置１４によって引起し処理し、各引起し装置１４によって引起し処理される植立穀稈を、引起し装置１４の後方に設けてある一つのバリカン形の刈取装置１５によって刈り取り処理し、刈取装置１５からの刈取り穀稈を、刈取装置１５の上方に搬送始端部が位置する供給装置１６によって走行機体後方向きにかつ横外側向きに搬送して脱穀フィードチェーン５ａの始端部に供給する。
【００２２】
図１〜５に示すように、刈取り部フレーム１１は、機体フレーム４の前端部から走行機体前方向きに上下揺動自在に延出する伝動ケースで成るメインフレーム２１と、このメインフレーム２１の前端部に走行機体横向きに位置する伝動ケースで成る横フレーム部２２から走行機体前方向きに延出するとともに走行機体横方向に所定間隔を隔てて並ぶ複数本の分草フレーム２３と、横フレーム部２２の一端部から走行機体上方向きに延出する引起し伝動ケース２４と、この引起し伝動ケース２４と横フレーム部２２の他端部に立設された支柱２５の上端部どうしにわたって架設された走行機体横向きの引起し駆動ケース２６とを備えて構成してある。
【００２３】
各分草具１２は、これの下端部の背面側で分草フレーム２３の先端部に支持されている。刈取装置１５は、刈取装置１５に設けられた刈取りフレーム１５ａで各分草フレーム２３の基端部に連結されている。
【００２４】
各引起し装置１４は、分草フレーム２３の前端部に設けられた支持アーム２７に下端側が支持され、引起し駆動ケース２６に設けられた出力ケース部２６ａに上端側が支持された引起しケース１４ａと、この引起しケース１４ａの内部に駆動回動自在に設けられた無端回動形の引起しチェーン１４ｂとを備えて構成してある。引起しチェーン１４ｂの長手方向での複数箇所に、引起し爪１４ｃを起伏揺動自在に設けてある。
【００２５】
各引起し装置１４は、各引起し爪１４ｃを引起しケース１４ａの横一側方において引起し爪１４ｃの先端側が引起しケース１４ａから突出するように起立させた状態で引起しケース１４ａに沿わせて上昇移動させ、分草具１２によって引起し経路１３に導入された植立穀稈を、上昇移動する引起し爪１４ｃによって梳き上げて引き起し処理する。
【００２６】
図１〜３に示すように、刈取り部１０の上部に、供給装置１６から上方に塵埃が飛散することを防止する防塵カバー３０を設けてある。
【００２７】
防塵カバー３０は、合成樹脂板によって構成してあり、図４に示す如きカバーフレーム３１及び支持杆３１ａに支持されている。図１１は、防塵カバー３０の縦断正面図である。この図に示すように、防塵カバー３０の内面に、内面のほぼ全体にわたって貼り付けた吸音材３２の一例としてのスポンジを設けてある。
【００２８】
カバーフレーム３１は、枠組み状態に組み合わせて連結された複数本の屈曲棒材によって構成してある。カバーフレーム３１の前端側は、刈取り部フレーム１１を構成する引起し駆動ケース２６に支持されている。支持杆３１ａは、刈取り部フレーム１１を構成する引起し伝動ケース２４から走行機体後方上方向きに延出した支持フレーム３３に支持されている。支持フレーム３３の中間部と引起し伝動ケース２４の中間部とにわたって補助フレーム３４を連結してある。
【００２９】
図１〜３に示すように、刈取り部１０の左右の横側部に、横カバー４０及び前照灯５０を設けてある。
【００３０】
左側の横カバー４０は、複数の引起し装置１４のうちの左端に位置する引起し装置１４の引起しケース１４ａの横外側での横隣に位置し、右側の横カバー４０は、複数の引起し装置１４のうちの右端に位置する引起し装置１４の引起しケース１４ａの横外側での横隣に位置している。
【００３１】
図１〜４に示すように、左側の前照灯５０は、左側の横カバー４０の上部における外面側に左端の引起し装置１４の前方に位置する分草具１２の後方でかつ上方に位置するよう配置して設けた照明灯収容凹部４１に入り込むように配置し、照明灯収容凹部４１に配置した照明灯側支持体部４２ａを有した照明灯支持体４２（図７参照）に支持させてある。横カバー４０の照明灯収容凹部４１は、走行機体前方向き及び走行機体横外側向きに開口するように形成してある。左側の前照灯５０の横幅方向での大部分（横幅方向での全長のうちの８〜８．５割）が照明灯収容凹部４１に入り込んでおり、左側の前照灯５０の横外側端部が照明灯収容凹部４１から外側に出ている。
【００３２】
図２，３，５に示すように、右側の前照灯５０は、右側の横カバー４０の上部における外面側に右端の引起し装置１４の前方に位置する分草具１２の後方でかつ上方に位置するよう配置して設けた照明灯収容凹部４１に入り込むように配置し、照明灯収容凹部４１に配置した照明灯側支持体部４２ａを有した照明灯支持体４２（図６参照）に支持させてある。横カバー４０の照明灯収容凹部４１は、走行機体前方向き及び走行機体横外側向きに開口するように形成してある。右側の前照灯５０の横幅方向での大部分（横幅方向での全長のうちの８〜８．５割）が照明灯収容凹部４１に入り込んでおり、右側の前照灯５０の横外側端部が照明灯収容凹部４１から外側に出ている。
【００３３】
左側及び右側の照明灯収容凹部４１は、照明灯収容凹部４１の側面を構成する側板部４０ａと、照明灯収容凹部４１の後面を構成する後面部４０ｂと、照明灯収容凹部４１の上面を構成する上面部４０ｃとで形成されている。側板部４０ａの側面視での形状は、上端側ほど徐々に前後長さが長くなる形状に形成されており、側板部４０ａの後端に連なる後面部４０ｂは、前方下方に傾斜する傾斜面に形成されている。この実施形態では、後面部４０ｂは、側面視で後側に凹状に湾曲した状態で傾斜する傾斜面に形成されているが、側面視で直線状に傾斜する傾斜面に形成してもよい。上面部４０ｃは、側面視で側板部４０ｂよりも緩い傾斜で前方下方へ傾斜する傾斜面に形成されており、正面視で外方上方に傾斜する傾斜面に形成されている。この実施形態では、上面部４０ｃは、正面視で下側に凸状に湾曲した状態で傾斜する傾斜面に形成されているが、正面視で直線状に傾斜する傾斜面に形成してもよい。
【００３４】
図６，７に示すように、左側の前照灯５０のための照明灯支持体４２及び右側の前照灯５０のための照明灯支持体４２は、照明灯収容凹部４１に配置した照明灯側支持体部４２ａを備える他、横カバー４０のうちの照明灯収容凹部４１を形成する側板部４０ａの裏面側に配置して照明灯側支持体部４２ａに連結ボルト４３によって連結されたフレーム側支持体部４２ｂを備えて構成してある。
【００３５】
照明灯収容凹部４１の側板部４０ａには、側板部４０ａの外面から更に内側に凹入した前照灯取付部４０Ａが形成されている。左側の前照灯５０のための照明灯支持体４２及び右側の前照灯５０のための照明灯支持体４２における照明灯側支持体部４２ａとフレーム側支持体部４２ｂとは、横カバー４０の照明灯収容凹部４１を形成する側板部４０ａの照明灯取付部４０Ａを挟む状態で連結ボルト４３によって締め付け連結されている。
【００３６】
左側の前照灯５０のためのフレーム側支持体部４２ｂ及び右側の前照灯５０のためのフレーム側支持体部４２ｂは、照明灯側支持体部４２ａに連結される支持部４２ｃと、この支持部４２ｃに一端側が連結された連結部４２ｄとを備えて構成してある。左側の照明灯５０のためのフレーム側支持部４２ｂは、引起し駆動ケース２６が左端の引起し装置１４に動力伝達するよう備える出力ケース部２６ａに設けることによって刈取り部フレーム１１に備えさせた取付座部２６ｂに連結部４２ｄが連結ボルトによって連結されている。右側の照明灯５０のためのフレーム側支持部４２ｂは、引起し駆動ケース２６が右端の引起し装置１４に動力伝達するように備える出力ケース部２６ａに設けることによって刈取り部フレーム１１に備えさせた取付座部２６ｂに連結部４２ｄが連結ボルトによって連結されている。
したがって、左側の前照灯５０を支持する照明灯支持体４２及び右側の前照灯５０を支持する照明灯支持体４２は、刈取り部フレーム１１に支持されながら前照灯５０を支持する。
【００３７】
左側の前照灯５０及び右側の前照灯５０は、前照灯５０の下部に軸芯Ｐまわりに回転自在に設けられた台部材５１で照明灯側支持部４２ａに連結されている。左側の前照灯５０のための照明灯収容凹部４１及び右側の前照灯５０のための照明灯収容凹部４１を走行機体上下方向に長い形状に形成するとともに、左側の前照灯５０及び右側の前照灯５０をそのための照明灯収容凹部４１の上端側に寄せて配置して、左側の前照灯５０及び右側の前照灯５０のための前照灯収容凹部４１の下端側で、前照灯５０の下方に位置する部位に空隙４１ａを形成してある。
【００３８】
つまり、刈取り部１０の左横側においても右横側においても、前照灯５０を軸芯Ｐまわりに揺動調節することにより、前照灯５０の取付角度を上下に変更して前照灯５０による光の照射向きを上下に変更調節することができるとともに、照射向きを下向きに調節した場合でも、前照灯５０による照射光が照明灯収容凹部４１の前照灯下方の空隙４１ａを通って刈取り部１０の前端付近に至り、分草具１２及び分草具１２の前方付近を照明することができる。
【００３９】
図２〜５に示すように、左側の横カバー４０及び右側の横カバー４０は、照明灯収容凹部４１を設けた上側横カバー部４５と、この上側横カバー部４５の下方に位置するとともに上側横カバー部４５とは別体に形成した下側横カバー部４６とを備えて構成してある。
【００４０】
図９は、左側の上側横カバー部４５を示し、図９（ａ）は、上側横カバー部４５の正面図、図９（ｂ）は、上側横カバー部４５の表面側を示す側面図、図９（ｃ）は、上側横カバー部４５の後面図、図９（ｄ）は、上側横カバー部４５の裏面側を示す側面図である。これらの図に示すように、左側の横カバー４０における上側横カバー部４５は、これの上縁部の裏面側に上縁に沿わせて並べて設けた複数個の連結突起４７、及び上側横カバー部４５の裏面側に上下方向に分散配置して設けた複数個の連結片４８を備えている。
【００４１】
左側の横カバー４０における上側横カバー部４５は、図７に示す如く照明灯収容凹部４１を形成する側板部４０ａの前照灯取付部４０Ａが照明灯支持体４２におけるフレーム側支持体部４２ｂと照明灯側支持体部４２ａによって挟まれることにより、図４に示す如く複数個の連結突起４７が防塵カバー３０の横側部に設けた連結孔に嵌め込んで係止されることにより、複数個の連結片４８が、左端の引起し装置１４の引起しケース１４ａや引起し伝動ケース２４などから延出させて刈取り部１０の左側に設けられた支持部材に止着されることにより、刈取り部１０の左横側部の所定位置に取付けられる。
【００４２】
図８は、右側の横カバー４０における上側横カバー部４６を示し、図８（ａ）は、上側横カバー部４６の正面図、図８（ｂ）は、上側横カバー部４６の裏面側を示す側面図、図８（ｃ）は、上側横カバー部４６の後面図、図８（ｄ）は、上側横カバー部４６の表面側を示す側面図である。これらの図に示すように、右側の横カバー４０における上側横カバー部４５は、これの裏面側に設けた係止爪４９及び連結片４８を備えている。
【００４３】
右側の横カバー４０における上側横カバー部４５は、図６に示す如く照明灯収容凹部４１を形成する側板部４０ａの前照灯取付部４０Ａが照明灯支持体４２におけるフレーム側支持体部４２ｂと照明灯側支持体部４２ａによって挟まれることにより、図５に示す引起し駆動ケース２６を覆う駆動ケースカバー６０の端部に係止爪４９が係止され、右端の引起し装置１４の引起しケース１４ａや支柱２５から延出させて刈取り部１０の右側に設けられた支持部材に連結片４８が止着されることにより、刈取り部１０の右横側部の所定位置に取付けられる。
【００４４】
図４，５，１０に示すように、左側の横カバー４０及び右側の横カバー４０における下側横カバー部４６は、これの裏面側に上下方向及び前後方向に分散配置して設けた複数個の取付け用フック５３，５４を備えており、この複数個の取付用フック５３，５４によって刈取り部１０の横側部の上側横カバー部４５の下方の所定位置に脱着される。
【００４５】
すなわち、複数個の取付け用フック５３，５４のうちの下側カバー部４６の下端部に位置する前後一対の下側の取付け用フック５３，５３は、複数本の分草フレーム２３のうちの横端に位置する分草フレーム２３に取り付けることによって刈取り部１０に設けた支持部材５５に対して係脱して下側カバー部４６の下側を支持部材５５に脱着する。
【００４６】
複数個の取付け用フック５３，５４のうちの前後一対の下側の取付け用フック５３，５３の上方に位置する前後一対の上側の取付け用フック５４，５４は、下側カバー部４６に装着した係止装置５６に揺動自在に支持されており、横端に位置する引起し装置１４の引起しケース１４ａ、引起し伝動ケース２４、支柱２５に支持させることによって刈取り部１０に設けた支持部材５７に係脱して下側横カバー部４６の上側を支持部材５７に脱着する。
【００４７】
各上側の取付け用フック５４は、係止装置５６に設けられた閉じバネ（図示せず）によって支持部材５７に係合した閉じ姿勢に揺動付勢される。図１０に示すように、各上側の取付け用フック５４は、係止装置５６に揺動操作自在に設けられた解除レバー５８によって支持部材５７から離脱する開き姿勢に揺動操作できる。
【００４８】
つまり、刈取り部１０の左側においても右側においても、下側横カバー部４６の取付け用フック５３，５４による支持部材５５，５７に対する取付けを解除することにより、上側横カバー部４５を刈取り部１０に取り付けたままにしながら、下側カバー部４６のみを刈取り部１０から取り外すことができ、前照灯５０の取り外しを行なわなくとも供給装置１６の点検や修理などを横側方から行なうことができる。
【００４９】
〔別実施例〕
（１）上記した実施例では、刈取り部１０の左右側に横カバー４０及び前照灯５０を設けた例を示したが、刈取り部１０の左側と右側のいずれか一方の横側部だけに横カバー４０及び前照灯５０を設けて実施してもよい。
（２）上記した実施例では、横カバー４０を別体の上側横カバー部４５と下側横カバー部４６とを備えて構成した例を示したが、横カバー４０を全体にわたって単一の横カバーに構成して実施してもよい。
（３）上記した実施例では、下側横カバー部４６を前後一対の上側の取付け用フック５４，５４及び前後一対の下側の取付け用フック５３，５３によって脱着する例を示したが、下側横カバー部４６に設ける取付け用フックの構成及び数を必要に応じて変更して実施してもよい。
【産業上の利用可能性】
【００５０】
本発明は、袋詰め部や自脱形の脱穀装置を備えるコンバインの他、穀粒タンクを備えるコンバインにも、刈取り穀稈を株元から穂先までの全体にわたって扱室に投入する脱穀装置を備えた普通型のコンバインにも利用できる。
【符号の説明】
【００５１】
１０        刈取り部
１２        分草具
１４        引起し装置
１４ａ      引起しケース
４０        横カバー
４０ａ      側板部
４１        照明灯収容凹部
４１ａ      空隙
４２        照明灯支持体
４２ａ      照明灯側支持体部
４２ｂ      フレーム側支持体部
４５        上側横カバー部
４６        下側横カバー部
５０        前照灯
５３，５４  取付け用フック
５５，５７  支持部材
【図１】
2011239727.tif 000003
【図２】
2011239727.tif 000004
【図３】
2011239727.tif 000005
【図４】
2011239727.tif 000006
【図５】
2011239727.tif 000007
【図６】
2011239727.tif 000008
【図７】
2011239727.tif 000009
【図８】
2011239727.tif 000010
【図９】
2011239727.tif 000011
【図１０】
2011239727.tif 000012
【図１１】
2011239727.tif 000013